(57)【特許請求の範囲】
【請求項１】
下部走行体に上部旋回体を旋回自在に載置し、該上部旋回体の前部にブームを俯仰可能に装着するとともに、該上部旋回体の後部にガントリを起立倒回自在に設け、このガントリの先端部にベイルを取り付けるとともに前記ブームの先端部側にブライドルを取り付け、これらベイル・ブライドル間にブーム起伏ロープを巻装し、該ブーム起伏ロープの巻き上げ下げにてベイル・ブライドル間の距離を変更することにより前記ブームを俯仰するように構成したクレーンであって、且つ、前記ブーム起伏ロープを巻き下げてブームを上部旋回体の前方へ倒回した後に、該ブームから前記ブライドルを取り外すとともに該ブームを上部旋回体から離脱させ、更に、前記ガントリを上部旋回体の後方へ倒回して上部旋回体の上部に該ガントリを略水平に載置して輸送するようにしたクレーンの輸送方法に於いて、
前記ブームから取り外された前記ブライドルは前記上部旋回体の前部に設けられているブライドル固定用ラグに固定されることにより、該ブライドルを上部旋回体の前部であって、且つ、ガントリの載置位置よりも低位置に固定して輸送することを特徴とするクレーンの輸送方法。
【発明の詳細な説明】
【０００１】
【発明の属する技術分野】
本発明はクレーンの輸送方法に関するものであり、特に、ラチスブームの俯仰をベイル・ブライドル間の距離を変更することにより行うクレーンに於けるブームなしでの輸送方法に関するものである。
【０００２】
【従来の技術及び発明が解決しようとする課題】
従来の此種クレーンは、下部走行体に上部旋回体を旋回自在に載置し、該上部旋回体の前部にブームを俯仰可能に装着するとともに、該上部旋回体の後部にガントリを起立倒回自在に設け、このガントリの先端部にベイルを取り付けるとともに前記ブームの先端部側にブライドルを取り付け、これらベイル・ブライドル間にブーム起伏ロープを卷装し、該ブーム起伏ロープの巻き上げ下げにてベイル・ブライドル間の距離を変更することにより前記ブームを俯仰するように構成されている。
【０００３】
そして、此種クレーンを輸送する際には、前記ブーム起伏ロープを巻下げてブームを上部旋回体の前方へ倒回した後に、該ブームから前記ブライドルを取り外すとともに該ブームを上部旋回体から離脱させて、該ブームをクレーン本体とは別に輸送している。一方、クレーン本体は、図３に示すように、上部旋回体１の後方へガントリ２を倒回し、上部旋回体１の上部にガントリ２を略水平に載置する。また、ベイル３はガントリ２の先端部に取り付けたままの状態で、ブライドル４をブームから取り外してガントリ２の上部に載置する。
【０００４】
しかし、ガントリ２の上部にブライドル４を載置して運搬すると、輸送高さがＡと高くなって、移動時の高さ制限に制約を受ける。このため、ブームを上部旋回体の前方へ倒回した後に、ブライドル４をクレーン本体から取り外して別に輸送することもあるが、その際に、ベイル３とブライドル４間に卷装されているブーム起伏ロープ５を、上部旋回体１に設けられているブーム起伏ウインチ６へすべて巻き込む必要があり、輸送準備に時間がかかるとともに、輸送後の組立作業では、抜き取ったブーム起伏ロープ５を再度ベイル３とブライドル４間に卷装しなければならず、多くの時間と労力が必要とされる。
【０００５】
そこで、ブームを取り外してクレーン本体を輸送する際に、輸送高さを低く抑えつつ、ブライドル脱着のためのブーム起伏ロープの巻き込み作業をなくして、輸送準備及び組立準備を簡易且つ短時間で行えるようにするために解決すべき技術的課題が生じてくるのであり、本発明はこの課題を解決することを目的とする。
【０００６】
【課題を解決するための手段】
本発明は上記目的を達成するために提案されたものであり、下部走行体に上部旋回体を旋回自在に載置し、該上部旋回体の前部にブームを俯仰可能に装着するとともに、該上部旋回体の後部にガントリを起立倒回自在に設け、このガントリの先端部にベイルを取り付けるとともに前記ブームの先端部側にブライドルを取り付け、これらベイル・ブライドル間にブーム起伏ロープを巻装し、該ブーム起伏ロープの巻き上げ下げにてベイル・ブライドル間の距離を変更することにより前記ブームを俯仰するように構成したクレーンであって、且つ、前記ブーム起伏ロープを巻き下げてブームを上部旋回体の前方へ倒回した後に、該ブームから前記ブライドルを取り外すとともに該ブームを上部旋回体から離脱させ、更に、前記ガントリを上部旋回体の後方へ倒回して上部旋回体の上部に該ガントリを略水平に載置して輸送するようにしたクレーンの輸送方法に於いて、
前記ブームから取り外された前記ブライドルは前記上部旋回体の前部に設けられているブライドル固定用ラグに固定されることにより、該ブライドルを上部旋回体の前部であって、且つ、ガントリの載置位置よりも低位置に固定して輸送することを特徴とするクレーンの輸送方法を提供するものである。
【０００７】
【発明の実施の形態】
以下、本発明の一実施の形態を図１及び図２に従って詳述する。尚、説明の都合上、従来と同一構成部分には同一符号を使用する。図１はラチスブームタイプのクレーン１０を示し、下部走行体７に上部旋回体１を旋回自在に載置し、該上部旋回体１の前部にブーム８を俯仰自在に枢着してある。ブーム８の先端部にはシーブ９，９を取り付けてあり、上部旋回体１に装着したフロントウインチ１１からフックロープ１２を繰り出してこのシーブ９，９に掛け回し、ブーム８の先端からフック１３を吊り下げる。
【０００８】
一方、上部旋回体１の後部にはカウンタウエイト１４を装着するとともに、ガントリ２を起立倒回自在に設けてある。そして、ガントリ２の先端部にベイル３を取り付けるとともに、前記ブーム８の先端部に係止したペンダントロープ１５にブライドル４を取り付け、上部旋回体１に装着したブーム起伏ウインチ６からブーム起伏ロープ５を繰り出して、これらベイル３とブライドル４間にブーム起伏ロープ５を卷装する。
【０００９】
斯くして、当該クレーン１０にてクレーン作業を行う際は、前記ブーム起伏ウインチ６を駆動し、ブーム起伏ロープ５の巻上げ下げにてベイル３とブライドル４間の距離を変更することにより前記ブーム８を俯仰させるとともに、前記フロントウインチ１１を駆動し、フックロープ１２を巻き上げ下げしてフック１３を昇降させる。
【００１０】
ここで、当該クレーン１０を輸送する際は、前記クレーン本体からブーム８を取り外して輸送し易くする。先ず、前記ブーム起伏ロープ５を巻下げてブーム８を上部旋回体１の前方へ倒回し、前記ガントリ２を上部旋回体１の後方へ倒回する。次に、フックロープ１２及びフック１３、ペンダントロープ１５等を取り外してブーム８を上部旋回体１から離脱する。そして、図２に示すように、上部旋回体１の上部にガントリ２を略水平に載置した状態でトラック１６に積載する。
【００１１】
同図に示すように、上部旋回体１の前部に設けられているブーム取り付け部１７にブライドル固定用ラグ１８を装着し、該ブライドル固定用ラグ１８に前記ブライドル４を固定する。即ち、ブライドル４を上部旋回体１の前部低位置に固定するので、従来のように、ガントリ２の上部にブライドル４を載置した場合の輸送高さＡに比べて、本発明の輸送方法では輸送高さがＢと低くなり、移動時の高さ制限に制約を受け難い。また、従来のブライドル４を取り外して収納する輸送方法と比較すれば、ブーム起伏ロープ５を外さないので、ブーム起伏ウインチ６にブーム起伏ロープ５をすべて巻き込む必要がない。
【００１２】
一方、輸送後の組立作業については、前述とは逆の工程で行うが、ブライドル４をブーム８のペンダントロープ１５に係止する際に、ブーム起伏ロープ５がベイル３とブライドル４間に卷装された状態のままであるので、従来のようにブーム起伏ロープ５を多数回掛け回す作業がなく、組立作業を簡略化できる。
【００１３】
尚、本発明は、本発明の精神を逸脱しない限り種々の改変を為すことができ、そして、本発明が該改変されたものに及ぶことは当然である。
【００１４】
【発明の効果】
本発明は上記一実施の形態に詳述したように、クレーンを輸送する際には、ブライドルを外さず、而も、ガントリの載置位置よりも低位置であって、且つ、上部旋回体の前部に設けられているブライドル固定用ラグに該ブライドルを固定するので、輸送高さを低く抑えることができ、移送時の高さ制限を受け難い。更に又、ブライドルを前記固定位置に固定するのであるから、ベイルとブライドルとの間に巻装されているブーム起伏ロープも外す必要がなくなり、従って、ブーム起伏ロープをブーム起伏ウインチにすべて巻き込む必要もなくなり、輸送準備及び組立準備が著しく簡素化されて、労力の軽減並びに作業時間の短縮に寄与できる等、正に諸種の効果を奏する発明である。
【図面の簡単な説明】
【図１】本発明の一実施の形態を示し、クレーンの側面図。
【図２】本発明の一実施の形態を示し、クレーンの輸送状態を示す側面図。
【図３】従来のクレーンの輸送状態を示す側面図。
【符号の説明】
１        上部旋回体
２        ガントリ
３        ベイル
４        ブライドル
５        ブーム起伏ロープ
７        下部走行体
８        ブーム
１８        ブライドル固定用ラグ
【図１】
0003600169.tif 000002
【図２】
0003600169.tif 000003
【図３】
0003600169.tif 000004